(57)【特許請求の範囲】
【請求項１】
便座支持部材を洋風便器に取り付けるための便座支持部材の取付装置であって、
該洋風便器に上下方向に貫設された取付孔に挿通される支持棒と、
基端側が該支持棒の下端部に枢支され、先端側が上下方向に回動可能とされたアームと、
該アームの先端側を上方に回動させる回動駆動装置とを備えており、
該回動駆動装置は、一端側が該アームに連結された線状体と、該線状体を引張る引張装置とを備えてなることを特徴とする便座支持部材の取付装置。
【発明の詳細な説明】
【０００１】
【発明の属する技術分野】
本発明は便座支持部材を洋風便器に取り付けるための取付装置に関するものであり、特に該便座支持部材が便座ボックス又はロータンクカバーである場合に好適な便座支持部材の取付装置に関するものである。
【０００２】
【従来の技術】
近年、洋風便器に人体臀部を洗浄するための温水洗浄装置を設置することが多くなってきている。
【０００３】
洋風便器に温水洗浄装置を設置する場合、多くの場合、洋風便器の後部上面にロータンクカバーや便座ボックスを設置し、このロータンクカバーや便座ボックス内に温水を噴出するためのノズル及び温水供給機構が組み込まれると共に、更に必要に応じて温風乾燥機構や脱臭機構等が組み込まれる。ロータンクカバーの場合には、このロータンクカバー内にロータンクが設置されている。便座ボックスは、通常、ロータンクの前側に設置されるが、ロータンクが省略される場合もある。
【０００４】
図４（ａ）は、ロータンク付き洋風便器に便座ボックスを設置して洋風便器に温水洗浄装置を取り付けた従来例を示す斜視図であり、この便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００５】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００６】
張出部上面のスイッチパネル１４には、図４（ｂ）に示す如く、肛門洗浄（シャワー洗浄）、ビデ洗浄、温風乾燥等の作動をストップさせるストップスイッチ２０、肛門洗浄用操作スイッチ（シャワースイッチ）２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。
【０００７】
このような洋風便器にあっては、とくに該洋風便器を男子小用に使用した場合には、便座ボックスの下面と洋風便器との間に尿が侵入し、臭気を発生させる原因となり易い。
【０００８】
そこで、この便座ボックスなどの便座支持部材を洋風便器に着脱可能とし、便座ボックスを取り外して洋風便器上面を入念に清掃できるようにする構造が種々提案されている。
【０００９】
便座支持部材を洋風便器に着脱自在に取り付ける簡便な構造として、実公平２−２５３５７号公報には、拡径変形可能な筒状弾性体を用いた構造が記載されている。
【００１０】
図５は、同号公報の構造を示す断面図であり、陶器製の洋風便器１に上下方向に取付孔２が貫設されている。便蓋３Ａと便座３Ｂとが軸３Ｃによって回動自在に取り付けられた便座支持部材３の下側に弾性ゴム材料よりなる敷板４が敷設されている。この敷板４から一体に筒状弾性体５が下方に突設されており、この筒状弾性体５が取付孔２に挿通されている。
【００１１】
便座支持部材３の上方からボルト６が該筒状弾性体５内に挿入されている。このボルト６の先端側は、ゴムよりなる筒状弾性体５の下端から下方に突出しており、このボルト６の先端側にナット７が螺着されている。
【００１２】
ボルト６を回してナット７を上方に螺進させると、筒状弾性体５が上下方向に押し縮められることにより拡径変形し、該筒状弾性体５が取付孔２の内周面に密着する。これにより、便座支持部材３が洋風便器１に堅固に固定される。
【００１３】
ボルト６を反対方向に回してナット７を下降させると、筒状弾性体５がその弾性によって直筒形状に復帰し、該筒状弾性体５が取付孔２に対し挿抜自在となる。そこで、便座支持部材３を洋風便器１から取り外し、洋風便器１の上面を入念に清掃することが可能となる。清掃終了後は、筒状弾性体５を取付孔２に挿入し、ナット６を締め込んで便座支持部材３を固定する。
【００１４】
【発明が解決しようとする課題】
上記図５の便座支持部材の取付装置にあっては、便座支持部材３を洋風便器１に対し着脱するに際しては、ボルト６を回す必要があるが、このボルト回し作業を行うには工具を用いて前かがみの中腰姿勢をとることになり、作業が面倒である。特に、通常のトイレルームは半坪又はそれ以下の狭いものであると共に、便座支持部材３の近くにロータンクが位置しており、作業しにくい。
【００１５】
また、便座支持部材３を長期間便器に取り付けたままにしておくと、ゴム製の筒状弾性体５が取付孔２の内周面にこびりついてしまい、ボルト６を緩めても筒状弾性体５が元の形状に復元せず、便座支持部材３を取付孔２に対し自在に挿抜することができなくなる。
【００１６】
本発明は、このような問題点を解決し、便座支持部材の着脱を確実にきわめて容易に行うことができる便座支持部材の取付装置を提供することを目的とする。
【００１７】
【課題を解決するための手段】
本発明の便座支持部材の取付装置は、便座支持部材を洋風便器に取り付けるための便座支持部材の取付装置であって、該洋風便器に上下方向に貫設された取付孔に挿通される支持棒と、基端側が該支持棒の下端部に枢支され、先端側が上下方向に回動可能とされたアームと、該アームの先端側を上方に回動させる回動駆動装置とを備えており、該回動駆動装置は、一端側が該アームに連結された線状体と、該線状体を引張る引張装置とを備えてなることを特徴とするものである。
【００１８】
この便座支持部材の取付装置にあっては、アームの先端側を上方に回動させると、該アームの先端が洋風便器の下面（取付孔の周囲部分）に当接し、該アーム及び支持棒が取付孔から不抜となる。これにより、便座支持部材が洋風便器に固定される。
【００１９】
アームの先端側を垂下姿勢にまで戻すと、該アーム及び支持棒が取付孔を自在に通過しうるようになり、便座支持部材を洋風便器から取り外すことができる。
【００２０】
かかる便座支持部材の取付装置にあっては、スイッチ操作によって回動駆動装置を駆動させ、アームを回動させることができるので、便座支持部材の着脱がきわめて簡単である。また、アームは便器にこびり付くことがないので、便座支持部材を便器に取り付けてから長期間経過後でもアームをスムーズに回すことができる。
【００２１】
この回動駆動装置は、一端側が該アームに連結された線状体と、該線状体を上方に引張る引張装置とを備えてなる。
【００２２】
【発明の実施の形態】
以下、図１，２を参照して実施の形態について説明する。図１（ａ）は実施の形態に係る便座支持部材の取付装置を示す図５と同様部分の断面図である。図１（ｂ）は図１（ａ）のＢ−Ｂ線に沿う断面図、図２は支持棒及びアームの斜視図である。
【００２３】
図１，２の実施の形態にあっては、洋風便器１に便座ボックス３０が着脱自在に取り付けられている。洋風便器１に上下方向に貫設された取付孔２に支持棒３２が挿通されている。この支持棒３２の上端が便座ボックス３０の底面部３１に固着されている。なお、支持棒３２を底面部３１と一体成形してもよい。
【００２４】
この支持棒３２の下端部にアーム３４の基端側が軸３３によって回動可能に支持されている。このアーム３４は硬質合成樹脂製とされている。このアーム３４を上方に引き上げるための線状体としてワイヤ３５が支持棒３２に沿って取付孔２内に挿通されている。ワイヤ３５の下端はアーム３４に留め付けられている。このワイヤ３５は、ガイド３６に掛けられた後、取付孔２及び便座ボックス３０の底面部３１の孔３１ａを通ってその上方に延出している。
【００２５】
この実施の形態にあっては、このワイヤ３５の上端部を巻き取るようにウィンチ３７が設置されている。ウィンチ３７にはトルクリミッタ（図示略）が設けられ、所定トルクに達するとワイヤ３５の巻上げを停止するよう構成されている。
【００２６】
なお、この実施の形態ではアーム３４は２本設けられており、各アーム３４にそれぞれ別々のワイヤ３５が結びつけられている。これらのワイヤ３５の上部は、引き揃えられてウィンチ３７に巻き取られるようになっている。
【００２７】
ウィンチ３７は、便座ボックスの張出部等に設けられたロックスイッチ（図示略）を操作することによりワイヤ３５を巻き取るように動作される。ワイヤ３５がウィンチ３７によって引張られることにより、アーム３４が上方に回動し、洋風便器１の下面（取付孔２の近傍）に当接し、便座ボックス３０が洋風便器１に固定される。
【００２８】
便座ボックスの張出部等に設けられたアンロックスイッチを操作すると、ウィンチ３７がワイヤ３５を所定長さ巻き出す。
【００２９】
これにより、アーム３４が下降方向に回動し、アーム３４及び支持棒３２が取付孔２に対し挿抜自在となる。そこで、便座ボックス３０を洋風便器１から取り外し、洋風便器１の上面を入念に清掃した後、再度便座ボックス３０を洋風便器１上に載せ、ロックスイッチを操作して該便座ボックス３０を洋風便器１に固定する。
【００３０】
このように、この便座支持部材の取付装置によると、便座ボックスを洋風便器に対しスイッチ操作だけできわめて簡単に着脱することができる。この便座支持部材の取付装置では、アーム３４が洋風便器１の下面に長期間当接したままであっても、アーム３４は便器１にこびり付かないので、ワイヤ３５を緩めるとアーム３４はスムーズに垂下姿勢に戻る。
【００３１】
上記実施の形態では、ワイヤ３５及びウィンチ３７によってアーム３４を回動させているが、図３の参考例では、歯車伝動機構などの他の動力伝達機構によってアームを回動させるようにしている。
【００３２】
図３では、アーム４０の基端側に傘歯車４１が一体に設けられている。この傘歯車４１の中央が軸４２によって支持棒３２に枢支されている。取付孔２には、この支持棒３２と平行に駆動軸４３が挿入されており、この駆動軸４３の下端に固設された傘歯車４４が前記傘歯車４１に噛合している。駆動軸４３の上端は、便座ボックス３０の床面３１の孔３１ａ（図３では図示略）を通って便座ボックス３０内に入り込み、該便座ボックス３０内に設置されたモータ４５によって回動駆動される。モータ４５が正転することにより、１対のアーム４０がそれぞれ反対方向に上方に向って回動し、前記図１（ａ）の如きロック状態となる。モータ４５が反転すると、アーム４０は図３の垂下姿勢となり、アーム４０及び支持棒３２が取付孔２に対し挿抜自在となる。そこで、便座ボックス３０を洋風便器１から取り外し、洋風便器１の上面を入念に清掃した後、再度便座ボックス３０を洋風便器１上に載せ、ロックスイッチを操作して該便座ボックス３０を洋風便器１に固定する。
【００３３】
なお、便座ボックスの下面に洋風便器１の上面の検知手段（例えば光電センサやリミットスイッチ）を設けておき、便座ボックスが洋風便器１上に載置されたことが検知されると自動的にウィンチ３７がロック動作するよう構成してもよい。
【００３４】
上記実施の形態では、便座ボックスを洋風便器に固定しているが、本発明はロータンクカバーを洋風便器に固定する場合にも適用できる。
【００３５】
【発明の効果】
以上の通り、本発明によると便座支持部材を洋風便器に対しきわめて簡単に着脱することができる。また、アームが洋風便器に固着することがなく、長期間便座支持部材を洋風便器に固定した後であっても、容易に洋風便器から取り外すことができる。
【図面の簡単な説明】
【図１】  実施の形態に係る便座支持部材の取付装置を示す断面図である。
【図２】  図１の便座支持部材のアーム及び支持棒の斜視図である。
【図３】  （ａ）図は参考例に係る便座支持部材の取付装置のアーム及び支持棒の構成を示す側面図、（ｂ）図はこのアームの斜視図である。
【図４】  便座ボックス付き洋風便器を示す斜視図である。
【図５】  従来例を示す断面図である。
【図１】
0004300700.tif 000002
【図２】
0004300700.tif 000003
【図３】
0004300700.tif 000004
【図４】
0004300700.tif 000005
【図５】
0004300700.tif 000006